(57)【要約】【課題】操作盤を水平・起立方向に旋回させることで作業スペースを確保し、操作盤の背後に位置する工作機のメンテナンスの容易性を向上させる。【解決手段】ブラケット２０は、操作盤１１を取り付ける水平部２１１と、工作機たる射出成形機１に取り付ける垂直部２１２と、水平部２１１及び垂直部２１２を連結する連結部２１３とから構成される。操作盤１１はヒンジ部２４０によって起立方向に回動自在にブラケット２０に軸支され、ブラケット２０は軸支部２３１，２３２により水平方向に回動自在に射出成形機１に軸支されており、これによって操作盤１１は水平方向及び起立方向に旋回することがき、操作盤１１の背後にある射出成形機１の射出ノズル等のメンテナスの際、十分な作業スペースを確保することができる。【選択図】図８
2008272872.tif 000002
【特許請求の範囲】
【請求項１】
工作機の操作を行う操作キーと、工作機の動作条件及び動作状況を表示する表示パネルとを前面に備える操作盤を具備する工作機であって、
前記工作機に取り付けた垂直部と、前記操作盤を取り付けた水平部と、前記垂直部と前記水平部とを一体化する連結部を有したブラケットを備え、
該ブラケットは、前記工作機に水平方向に旋回可能に前記垂直部が軸支されると共に、前記操作盤を起立方向に旋回可能に軸支するよう構成したことを特徴とする操作盤を備えた工作機。
【請求項２】
前記垂直部は、水平方向に旋回する際、所定の間隔の位置で前記ブラケットを保持できる保持機構により軸支したことを特徴とする請求項１記載の操作盤を備えた工作機。
【請求項３】
前記水平部と前記操作盤は、前記操作盤の旋廻動作を緩衝する緩衝機能付ヒンジを用いて軸支したことを特徴とする請求項１又は２記載の操作盤を備えた工作機。
【請求項４】
前記水平部は、任意の角度に前記操作盤を固定できるよう固定機構を備えることを特徴とする請求項１から３の何れか１項記載の操作盤を備えた工作機。
【請求項５】
前記固定機構は、前記操作盤の背面に円弧状の長穴を穿設した半円状のプレートを取り付け、前記水平部から突出した突出部を前記長穴に挿通させると供に、前記突出部にクランプレバーを取り付け、該クランプレバーを操作することで前記プレートを該クランプレバーにより挟持する構造であることを特徴とする請求項４記載の操作盤を備えた工作機。
【請求項６】
前記操作盤の背面にも操作キーを設けたことを特徴とする請求項１から５の何れか１項記載の操作盤を備えた工作機。
【請求項７】
前記垂直部の周囲を化粧カバーによって覆うことを特徴とする請求項１から６記載の操作盤を備えた工作機。
【請求項８】
請求項１から７の何れか１項に記載の操作盤を備えた工作機において、前記工作機は射出成形機であり、該射出成形機における動作条件や動作状況が前記操作盤の表示パネルに表示されることを特徴とする操作盤を備えた射出成形機。
【発明の詳細な説明】
【技術分野】
【０００１】
本発明は、工作機が備える操作盤に関し、特に射出成形機における動作条件及び動作状況を報知するための操作盤に関する。
【背景技術】
【０００２】
従来、射出成形機等の工作機は、その操作の大部分を自動化するための制御部と、操作を行う操作キー、更に工作機の動作状況や操作によって設定した動作条件等を表示するための表示パネルを供えた操作盤によって操作が行われている。操作盤の多くは工作機のフレームに据え付けられるものであり、このため操作を行う者は操作盤の位置に合わせて姿勢を変えて工作機の操作を行う必要があった。そこで、操作を行う者の負担を軽減するべく、様々な方法及び構造が開示されている。
【０００３】
例えば、特許文献１では、固定盤の側面にレールを設け、操作盤に取り付けるスライダによって該レールに沿って上下動可能に組付けることで、操作者が操作を行い易い高さに操作盤を移動させることができると共に、スライダはレールを中心に旋回することができ、操作者は水平方向の操作盤の角度を調整することができる構造が開示されている。この構成を用いることで、従来、射出ユニット等の保守点検作業時に煩わしい操作盤の位置を、保守点検作業を阻害しない位置へ移動させることも可能となる。
【０００４】
また、特許文献２の構造では、水平方向若しくは起立方向の何れかの方向に操作盤を回転させることで、水平方向若しくは起立方向の何れかの角度を調整することができると共に射出ユニット等の保守点検作業時に煩わしい操作盤の位置を、保守点検作業を阻害しない位置へ移動させる構造が開示さている。
【０００５】
【特許文献１】特開２００１−１９１３８１号公報
【特許文献２】特開平７−２３２３６３号公報
【発明の開示】
【発明が解決しようとする課題】
【０００６】
しかしながら、特許文献１の構造は、操作盤が設置面に対して起立方向にスライド移動することで、背面に位置する部材のメンテナンス等を容易に行うことを目的としているが、その際、操作者の操作の容易性を考慮したものではなく、常に一定の方向に向いているのみであり、操作者は操作盤を移動させた状態で工作機の操作を行う事は極めて困難である。
【０００７】
また、特許文献２の構造では、水平方向に回転する構造と起立方向に回転させる構造により、射出成形機のメンテナンス時において射出ユニット周囲を開放することができるが、水平及び起立方向の角度を同時に調節できるものではなく、前記特許文献１の場合と同様に操作者は操作盤を移動させた状態で工作機の操作を行うことは困難である。
【０００８】
本発明は上記課題を鑑みてなされたものであり、位置を自在に変更可能であり、且つ操作者の操作の容易性を維持した工作機の操作盤及び射出成形機の操作盤を提供することを目的とする。
【課題を解決するための手段】
【０００９】
請求項１に係る操作盤を備えた工作機は、工作機の操作を行う操作キーと、工作機の動作条件及び動作状況を表示する表示パネルとを前面に備える操作盤を具備する工作機であって、
前記工作機に取り付けた垂直部と、前記操作盤を取り付けた水平部と、前記垂直部と前記水平部とを一体化する連結部を有したブラケットを備え、
該ブラケットは、前記工作機に水平方向に旋回可能に前記垂直部が軸支されると共に、前記操作盤を起立方向に旋回可能に軸支するよう構成したことを特徴とする操作盤を備えた工作機。
【００１０】
請求項１の構成によれば、工作機本体に操作盤を取り付けるためのブラケットを、垂直部・水平部・連結部の３部位を一体に形成し、垂直部を回動自在に工作機に取り付け水平方向に旋回可能に構成し、水平部には回動自在に操作盤を取り付け、起立方向に旋回可能に構成することで操作盤を水平・起立何れの方向にも旋回させ、移動させることを可能とした。
【００１１】
請求項２に係る操作盤を備えた工作機は、請求項１記載の操作盤を備えた工作機において、前記垂直部は、水平方向に旋回する際、所定の間隔の位置で前記ブラケットを保持できる保持機構により軸支したことを特徴とする。
【００１２】
請求項２の構成によれば、操作盤を水平方向に旋回するための垂直部の軸支部分に、ブラケットの保持機構を設け、所定の角度に置いて操作盤を固定するよう構成した。
【００１３】
請求項３に係る操作盤を備えた工作機は、請求項１又は２記載の操作盤を備えた工作機において、前記水平部と前記操作盤は、前記操作盤の旋廻動作を緩衝する緩衝機能付ヒンジを用いて軸支したことを特徴とする。
【００１４】
請求項３の構成によれば、操作盤を起立方向に旋回するための水平部の軸支部分に、旋回動作に一定の負荷が生じるトルクヒンジ若しくはロータリーダンパーヒンジを用いて、起立状態の操作盤が落下する速度を緩和するよう構成した。
【００１５】
請求項４に係る操作盤を備えた工作機は、請求項１から３の何れか１項記載の操作盤を備えた工作機において、前記水平部は、任意の角度に前記操作盤を固定できるよう固定機構を備えることを特徴とする。
【００１６】
請求項４の構成によれば、操作盤を起立方向に旋回させ、操作盤の固定機構を用いて操作者が自らの視界に合わせて操作盤の角度を決めることができるよう構成した。
【００１７】
請求項５に係る操作盤を備えた工作機は、請求項４記載の操作盤を備えた工作機において、前記固定機構は、前記操作盤の背面に円弧状の長穴を穿設した半円状のプレートを取り付け、前記水平部から突出した突出部を前記長穴に挿通させると供に、前記突出部にクランプレバーを取り付け、該クランプレバーを操作することで前記プレートを該クランプレバーにより挟持する構造であることを特徴とする。
【００１８】
請求項５の構成によれば、請求項４記載の固定機構とは、半円状のプレートに穿設される長穴を挿通したクランプレバーであり、これにより操作盤の起立方向の旋回の際、操作者が所望の角度において操作盤を固定することが可能となる。
【００１９】
請求項６に係る操作盤を備えた工作機は、請求項１から５の何れか１項記載の操作盤を備えた工作機において、前記操作盤の背面にも操作キーを設けたことを特徴とする。
【００２０】
請求項６の構成によれば、操作盤の背面に操作キーを設け、操作盤が起立方向に旋回した際においても工作機の操作が可能であるよう構成した。
【００２１】
請求項７に係る操作盤を備えた工作機は、請求項１から６記載の操作盤を備えた工作機において、前記垂直部の周囲を化粧カバーによって覆うことを特徴とする。
【００２２】
請求項７の構成によれば、ブラケットの垂直部分を化粧カバーによって覆い、外観の向上とブラケットの旋回動作の際に異物が挟まったりすることを防止するよう構成した。
【００２３】
請求項８に係る操作盤を備えた射出成形機は、請求項１から７の何れか１項に記載の操作盤を備えた工作機において、前記工作機は射出成形機であり、該射出成形機における動作条件や動作状況が前記操作盤の表示パネルに表示されることを特徴とする。
【００２４】
請求項８の構成によれば、上記のような工作機の操作盤を射出成形機へ利用することが可能となる。
【発明の効果】
【００２５】
請求項１に係る操作盤を備えた工作機は、工作機の操作を行う操作キーと、工作機の動作条件及び動作状況を表示する表示パネルとを前面に備える操作盤を具備する工作機であって、
前記工作機に取り付けた垂直部と、前記操作盤を取り付けた水平部と、前記垂直部と前記水平部とを一体化する連結部を有したブラケットを備え、
該ブラケットは、前記工作機に水平方向に旋回可能に前記垂直部が軸支されると共に、前記操作盤を起立方向に旋回可能に軸支するよう構成したので、操作者が自らの身長等に合わせて操作盤の水平方向及び起立方向の角度調節ができ、利便性が向上する。
【００２６】
請求項２に係る操作盤を備えた工作機は、請求項１記載の操作盤を備えた工作機において、前記垂直部は、水平方向に旋回する際、所定の間隔の位置で前記ブラケットを保持できる保持機構により軸支したので、操作盤を水平方向の所望の角度にて固定することができる。
【００２７】
請求項３に係る操作盤を備えた工作機は、請求項１又は２記載の操作盤を備えた工作機において、前記水平部と前記操作盤は、前記操作盤の旋廻動作を緩衝する緩衝機能付ヒンジを用いて軸支したので、操作盤の稼動範囲内に操作者がいる場合に、操作盤が操作者に接触する際の操作盤の落下スピードを緩和し、怪我を負うことを防止することができる。
操作盤を垂直且つ上方に旋回させる際、その自重による操作盤が下方へ落下する際のスピードを緩和することができ、故障の防止を図ることができる。
【００２８】
請求項４に係る操作盤を備えた工作機は、請求項１から３の何れか１項記載の操作盤を備えた工作機において、前記水平部は、任意の角度に前記操作盤を固定できるよう固定機構を備えるので、操作盤を起立方向の所望の角度にて固定することができる。
【００２９】
請求項５に係る操作盤を備えた工作機は、請求項４記載の操作盤を備えた工作機において、前記固定機構は、前記操作盤の背面に円弧状の長穴を穿設した半円状のプレートを取り付け、前記水平部から突出した突出部を前記長穴に挿通させると供に、前記突出部にクランプレバーを取り付け、該クランプレバーを操作することで前記プレートを該クランプレバーにより挟持する構造であるので、操作者は操作盤の起立方向の角度調節を、クランプレバーを回転させるという簡易な動作により行うことができる。
【００３０】
請求項６に係る操作盤を備えた工作機は、請求項１から５の何れか１項記載の操作盤を備えた工作機において、前記操作盤の背面にも操作キーを設けたので、操作盤を起立方向いっぱいに旋回させた際、操作盤前面に備える操作キーは操作者から見ることができないが、操作盤の背面に備える操作キーにより工作機の操作を引き続き行うことができる。
【００３１】
請求項７に係る操作盤を備えた工作機は、請求項１から６記載の操作盤を備えた工作機において、前記垂直部の周囲を化粧カバーによって覆うので、外観を整えると共に、ブラケットの回転時に操作者が手や指等を挟むことによる怪我を防止することができる。
【００３２】
請求項８に係る操作盤を備えた射出成形機は、請求項１から７の何れか１項に記載の操作盤を備えた工作機において、前記工作機は射出成形機であり、該射出成形機における動作条件や動作状況が前記操作盤の表示パネルに表示されるので、上記請求項１から７の構造を有する射出成形機を提供することができる。
【発明を実施するための最良の形態】
【００３３】
以下、本発明を実施するための最良の形態としての実施例を図１から図１４を参照して説明する。もちろん、本発明は、その発明の趣旨に反さない範囲で、実施例において説明した以外のものに対しても容易に適用可能なことは説明を要するまでもない。
【００３４】
図１から図１４は、本発明の一実施例を示し、図１は、本実施例における射出成形機の正面図である。図２は、射出成形機の平面図である。図３は、操作盤を支持するブラケットを示す正面図である。図４は、操作盤を支持するブラケットを示す平面図である。図５は、操作盤を支持するブラケットを示す側面図である。図６は、ブラケットの水平方向の旋回を規制するためのボールプランジャであり、（ａ）は正面図、（ｂ）は断面図である。図７は、図６に示すボールプランジャが係合してブラケットの水平方向の旋回を規制するための台座を示す斜視図である。図８は、ブラケットにより工作機に支持される操作盤を示す正面図である。図９は、ブラケットにより工作機に支持される操作盤を示す平面図である。図１０は、ブラケットにより工作機に支持される操作盤を示す側面図である。図１１は、水平・起立何れの方向にも旋回していない状態の操作盤を示す射出成形機の部分拡大斜視図である。図１２は、図１１に示す状態から水平方向に旋回した状態の操作盤を示す射出成形機の部分拡大斜視図である。図１３は、図１１に示す状態から起立方向に旋回した状態の操作盤を示す射出成形機の部分拡大斜視図である。図１４は、水平方向及び起立方向にそれぞれ旋回させた状態の操作盤を示す射出成形機の部分拡大斜視図である。
【００３５】
本実施例における射出成形機の操作盤の構成について、図１及び図２に基づいて説明する。工作機たる射出成形機１は、プラスチックなどの成型体を成形するものであり、この射出成形機１の機台２上には、型締めユニット３及び射出ユニット４が設けられている。型締めユニット３は、相互に型開閉される固定金型５と可動金型６を備えており、トグル機構９などの型開閉手段によって、固定金型５に対し可動金型６を進退させ、型閉じ（型締め）及び型開きを行う。
【００３６】
固定金型５及び可動金型６の型締め時に形成されるキャビティに、ホッパ７に投入された粒状の樹脂であるペレットを溶融樹脂として供給する際には射出ユニット４が用いられる。この射出ユニットには、加熱シリンダ８、加熱シリンダ８内に設けられた図示しないスクリュー、加熱シリンダ８の先端に組み付けられた射出ノズル１０を備え、モータなどの駆動力を駆動源として、加熱シリンダ８内のスクリューを回転させることで溶融樹脂を搬送させ、次に溶融樹脂を射出ノズル１０の先端から固定金型５及び可動金型６により形成されるキャビティに射出する。
【００３７】
１１は、射出ノズル１０の先端の近傍に配置された操作盤である。この操作盤１１は、射出成形機１の動作条件や動作状況などを表示する液晶表示パネル１２、操作者による操作を行うための操作キー１１ａ、操作盤１１を支持するブラケット２０により構成される。１５は化粧カバーであり、ブラケット２０の後述する垂直部を覆うことで、外観を向上させると共に、操作盤１１を水平方向に旋回させた際に、操作者が軸支部分に手などを挟むことによって怪我を負うことを防止する。
【００３８】
ブラケット２０について、図３から図５に基づいて詳述する。ブラケット２０は操作盤支持部２１と本体連結部２２からなる。操作盤支持部２１は、操作盤１１と後述のヒンジによって連結するための水平部２１１と、本体連結部２２と回動自在に軸支する垂直部２１２と、水平部２１１と垂直部２１２とを連結する連結部２１３とから構成される。本体連結部２２には、垂直部２１２を軸支するための支持板２２１及び２２２が形成される。垂直部２１２は、支持板２２１を軸支部２３１、支持板２２２を軸支部２３２によって、回転自在に軸支される。また、支持板２２２には保持機構の一部たるボールプランジャ２３３が螺合若しくは圧入されており、支持板２２２と垂直部２１２の間にはボールプランジャ２３３により操作盤支持部２１の旋回を規制する、同じく保持機構の一部たる台座２３４が挟持される。
【００３９】
続いて所定の間隔の位置で前記ブラケットを保持できる保持機構について、図３〜図７に基づいて説明する。図６は、前述の垂直部２１２の旋回動作を、所定の角度毎に規制し、固定するための構成の１つであるボールプランジャの具体的な構成例を示している。２３３はボールプランジャであり、ボール部２３３ａと弾性体２３３ｂ、これら２点を収納する筐体部２３３ｃから構成される。図７（ａ）〜（ｃ）はボールプランジャ２３３が摺動して所定間隔にて係合する台座を示している。図７（ｂ）に示すように係合孔２３４ａが台座２３４の下面に所定の間隔ごとに離間して複数穿設される。係合孔２３４ａは、図７（ｂ）に示すＡ−Ａ面による断面図である図７（ｃ）からも分かるように、三角錐状の係合孔として穿設される。図３〜図５に示すように、支持板２２２には１つ又は複数個のボールプランジャ２３３が螺合若しくは圧入されている。支持板２２２と垂直部２１２との間には台座２３４が設けられ、台座２３４には少なくともボールプランジャ２３３の数より多く係合孔２３４ａが穿設されている。これにより、台座２３４は操作盤１１の重さによりボールプランジャ２３３に圧接し、ボール部２３３ａは、係合孔２３４ａによって係合されてブラケット２０が停止し、操作盤１１が固定される。操作盤１１が水平方向に旋回する際は、ブラケット２０の操作盤支持部２１が旋回すると共に台座２３４が回動し、ボール部２３３ａが筐体部２３３ｃの内部に押し込まれ、係合孔２３４ａの間を摺動し、台座２３４の回動方向における次の係合孔２３４ａがボールプランジャ２３３の上方となったときに、弾性体２３３ｂによりボール部２３３ａの一部が筐体部２３３ｃから露出し、係合孔２３４ａと係合することで操作盤１１を所定角度ごとに固定する。
【００４０】
続いて、前述のブラケット２０を用いて操作盤１１を射出成形機１に旋回可能に軸支する構成について、図８〜１０に基づいて説明する。図８は、操作盤１１を射出成形機１に取り付けた状態を示す斜視図である。操作盤１１は、ヒンジ部２４０により水平部２１１と旋回可能に連結されている。ヒンジ部２４０の垂直部２１２と反対の側には、半円状のあて板２５０が設けられる。このあて板２５０には、外縁部に沿って長穴２５１が穿設されている。この長穴２５１にはクランプレバー２６０が挿通される。このクランプレバー２６０を締めることで、クランプレバー２６０と水平部２１１の端部とであて板２５０を挟持固定することができ、ヒンジ部２４０により操作盤１１を起立方向に旋回させる際に所望の位置にて固定させることが可能となる。また、ヒンジ部２４０に、ロータリーダンパーヒンジ（若しくはトルクヒンジ）等の緩衝機能付ヒンジを採用することで、操作盤１１が起立状態にあり、その際クランプレバーが緩んだとしても、操作盤１１の急激な落下を防止することができ、操作盤１１の故障の防止及び操作者との衝突の防止を図ることができる。
【００４１】
以上のような構成のブラケット２０により射出成形機１に取り付けられた操作盤１１は、図１１〜図１４示すように、水平及び起立方向の旋回動作によりその位置を変更することができる。
【００４２】
続いて、操作盤１１の背面の操作キーについて、図１３及び図１４に基づいて説明する。射出成形機１の射出ノズル１０のメンテナンス等で、操作盤１１を起立方向へ旋回させた場合、操作盤１１の操作キー１１ａは、操作者が触れることが出来ない位置となってしまう。この状態では、射出成形機１の操作を行うことが非常に困難である。そこで、操作盤１１の背面に操作キー１１ａと同様の背面操作キー１１ｂを備えるよう構成することで、操作盤１１の表面が、操作者と反対側に位置する状態となったとしても、射出成形機１の操作を行うことが可能となる。
【００４３】
以上のように構成される射出成形機の操作盤によれば、射出成形機の射出ノズル等のメンテナンスの際に、操作盤を水平方向及び起立方向に旋回させることで、メンテナンス作業のスペースを十分に確保することができ、作業効率の向上を図ることができる。また、作業中に射出成形機の操作が必要な場合においても、操作盤の表裏何れに置いても操作キーを有するので、操作盤の状態如何に関わらず操作者は射出成形機の操作を行うことができる。
【００４４】
以上、本発明の実施例について詳述したが、本発明は前記実施例に限定されるものではなく、本発明の要旨の範囲内で種々の変形実施が可能である。例えば、所定の間隔の位置で前記ブラケットを保持できる保持機構として、ボールプランジャ２３３及び台座２３４を用いた構成として説明したが、これに限定せずに他の係合機構等で代用しても何ら問題ない。また、背面操作キー１１ｂを操作キー１１ａと同様としたが、これに限定せずに、例えばノズルの移動等、キーの数及び操作できる内容を簡略化しても何ら問題ない。
【図面の簡単な説明】
【００４５】
【図１】本発明の実施例における、射出成形機の正面図である。
【図２】同上、射出成形機の平面図である。
【図３】同上、ブラケットの正面図である。
【図４】同上、ブラケットの平面図である。
【図５】同上、ブラケットの側面図である。
【図６】同上、ボールプランジャの構成を示す、（ａ）正面図、（ｂ）断面図である。
【図７】同上、台座の構成を示す、（ａ）斜視図、（ｂ）下面図、（ｃ）断面図である。
【図８】同上、射出成形機に取り付けた操作盤の正面図である。
【図９】同上、射出成形機に取り付けた操作盤の平面図である・
【図１０】同上、射出成形機に取り付けた操作盤の側面図である。
【図１１】同上、旋回動作を行っていない状態の操作盤を示す斜視図である。
【図１２】同上、水平方向に旋回させた操作盤を示す斜視図である。
【図１３】同上、起立方向に旋回させた操作盤を示す斜視図である。
【図１４】同上、水平方向及び起立方向に旋回させた操作盤を示す斜視図である。
【符号の説明】
【００４６】
１        射出成形機
１１      操作盤
１１ａ    操作キー
１１ｂ    背面操作キー
１２      表示パネル
１５      化粧カバー
２０      ブラケット
２１      操作盤支持部
２１１    水平部
２１２    垂直部
２１３    連結部
２２      本体連結部
２２１，２２２  支持板
２３１、２３２  軸支部
２３３    ボールプランジャ（固定機構）
２３３ａ  ボール部
２３３ｂ  弾性体
２３３ｃ  筐体部
２３４    台座（固定機構）
２３４ａ  係合孔
２４０  ヒンジ部
２５０  あて板
２５１  長穴
２６０  クランプレバー
【図１】
2008272872.tif 000003
【図２】
2008272872.tif 000004
【図３】
2008272872.tif 000005
【図４】
2008272872.tif 000006
【図５】
2008272872.tif 000007
【図６】
2008272872.tif 000008
【図７】
2008272872.tif 000009
【図８】
2008272872.tif 000010
【図９】
2008272872.tif 000011
【図１０】
2008272872.tif 000012
【図１１】
2008272872.tif 000013
【図１２】
2008272872.tif 000014
【図１３】
2008272872.tif 000015
【図１４】
2008272872.tif 000016